(57)【要約】【課題】側面衝突時に衝突エネルギの吸収性能を向上させた自動車用ドアを提供する。【解決手段】側面衝突用ドアビームを有するドア構造において、アウターパネルとドアビームと、又はアウターパネルとガラス昇降スペースとの隙間に凹凸部を有する補強パネルをアウターパネルの内面形状に合わせて配置する。補強パネルは、ドアビームとアウターパネルとに接合され、ドア内部に形成された空間の上下端、前後端の近傍で、インナーパネルやアウターパネルとに接合される。補強パネルの凹凸形状は様々な形状とすることができ、自動車の諸条件により各種設定することができる。【選択図】図４
2008254471.tif 000002
【特許請求の範囲】
【請求項１】
側面衝突用ドアビームを有する自動車用ドアにおいて、アウターパネルとドア昇降スペースとの間に配置され、前記アウターパネルの内面形状に合わせた形状を有すると共に、凹凸部を備えた補強パネルを有することを特徴とする自動車用ドア。
【請求項２】
側面衝突用ドアビームを有する自動車用ドアにおいて、アウターパネルとドアビームとの間に配置され、前記アウターパネルの内面形状に合わせた形状を有すると共に、凹凸部を備えた補強パネルを有することを特徴とする自動車用ドア。
【請求項３】
前記補強パネルが、上側、下側、前側、後側の端部近傍で、少なくとも１箇所でインナーパネル、又は前記アウターパネルに接合されていることを特徴とする請求項１又は２に記載の自動車用ドア。
【請求項４】
前記補強パネルが、上側、下側、前側、後側の端部でアウターパネルに接合され、前記インナーパネルはドア内部に形成された空間の上下端部、及び前後端部まで延長させずに、前記補強パネルと接合されていることを特徴とする請求項３に記載の自動車用ドア。
【請求項５】
前記補強パネルの前記凹凸部の高低差は、前記ドアビームの近傍で小さく、ドアビームから離れた位置で大きくなるようにしたことを特徴とする請求項２乃至４のいずれか１項に記載の自動車用ドア。
【請求項６】
前記補強パネルの前記凹凸部の形状は、車両上下方向又は車両前後方向に平行なビード形状であることを特徴とする請求項１乃至５のいずれか１項に記載の自動車用ドア。
【発明の詳細な説明】
【技術分野】
【０００１】
本発明は自動車の側面衝突に対する衝突性能を強化させた自動車用ドアに関する。
【背景技術】
【０００２】
近年乗員保護の観点から、側面衝突に対する安全性の基準が強化されおり、自動車のドアには側面衝突性能を十分に発揮することが求められている。側面衝突から乗員を保護するためには、衝突車両のドア部への進入量を低減させてドアが車室内側へ変形するのを抑制することが重要である。側面衝突は、前方や後方の衝突に比べて衝突エネルギを吸収するためのスペースが小さい。このような衝突に対して、従来、ドアの内部に車両の進行方向に沿ってドアビームを配設させて、ドアが車室内側へ変形するのを抑制していた。
【０００３】
現在ドアビームには高張力鋼材のパイプや、プレス材（特許文献１）、アルミ押出形材（特許文献２）によるものが開発され使用されている。一般にこれらのドアビームは、曲がりのない直線状のものが使用されている。特許文献３では、押出形材の曲げ加工時において、曲げ外側壁に凹みを生じさせることない曲げ加工方法が記載されている。また特許文献４では、隔壁を有した中空体に所定の範囲を焼き入れしたドアビームをドアの斜め方向に設置した実施例が記載されている。
【０００４】
【特許文献１】特開平８−２１６６８４号公報
【特許文献２】特開平１１−２６４０４４号公報
【特許文献３】特開２００１−７１０３８
【特許文献４】特開２００１−２８７６０８
【発明の開示】
【発明が解決しようとする課題】
【０００５】
図１３、図１４に示すように、一般にドア１０のアウターパネル１３は、車両の前後方向および上下方向に丸みを帯びているため、ドアビーム１６とアウターパネル１３との間には隙間aが生じる。従来この隙間aには接着剤１８が充填され、ドアビーム１６とアウターパネル１３とが接着されていた。そのためドア１０に車両が衝突した際、アウターパネル１３は衝突荷重に対して大きな抵抗を示さずに前記隙間a量を変形してしまい、該隙間aをエネルギ吸収スペースとして有効に活用できていなかった。特に車両をボリューム感のあるデザインとするため、アウターパネル１３を前後及び上下方向に丸みを大きくしたドア１０では、アウターパネル１３とドアビーム１６との間の隙間aは大きくなる。
【０００６】
前記隙間aを小さくするため、特許文献３に記された方法を用いてドアビーム１６をアウターパネル１３の形状にあわせて曲げ加工を施すことが考えられる。しかし、アウターパネル１３の凹凸が大きい場合には、ドアビーム１６の曲げ加工量が大きくなり製作が困難となる。仮に強制的に曲げ加工を施したとしても、曲げ加工部にシワが発生したり、座屈を引き起こしやすくなるなど、ドアビーム１６の強度低下の原因となる。
【０００７】
また、車両がドアビーム１６からずれた高さ位置に衝突した場合、衝突車両の進入量が増大して、車内の乗員生存スペースが大幅に減少するという問題がある。この対策として、特許文献４で記されたドアビーム１６を斜め方向に配置する方法がある。しかし、一般的にドアビーム１６の取り付けスパンが長くなり、衝突時にはドアビーム１６にねじれ変形が生じることから、これらに対応できる十分な強度を得るためにはドアビーム１６を大型にする必要がある。その結果、車両重量の増大を招き、燃費や運動性能の低下などクルマの基本性能に悪影響を与えてしまう。
本発明は、このような問題点を解決するためになされたものであり、側面衝突時に衝突エネルギの吸収性能を向上させた自動車用ドアを提供することを目的とする。
【課題を解決するための手段】
【０００８】
上記目的を達成するため、本発明に係る自動車用ドアは、側面衝突用ドアビームを有する自動車用ドアにおいて、アウターパネルとドア昇降スペースとの間に配置され、前記アウターパネルの内面形状に合わせた形状を有すると共に、凹凸部を備えた補強パネルを有することを特徴とする。
【０００９】
また、上記目的を達成するため、本発明に係る自動車用ドアは、側面衝突用ドアビームを有する自動車用ドアにおいて、アウターパネルとドアビームとの間に配置され、前記アウターパネルの内面形状に合わせた形状を有すると共に、凹凸部を備えた補強パネルを有することを特徴とする
また、本発明に係る自動車用ドアは、前記補強パネルが、上側、下側、前側、後側の端部近傍で、少なくとも１箇所でインナーパネルと、又は前記アウターパネルとに接合されるように構成してもよい。また前記補強パネルが、上側、下側、前側、後側の端部でアウターパネルに接合され、前記インナーパネルはドア内部に形成された空間の上下端部、及び前後端部まで延長させずに、前記補強パネルと接合されているように構成してもよい。
【００１０】
また、本発明に係る自動車用ドアは、前記補強パネルの前記凹凸部の高低差は、前記ドアビームの近傍で小さく、ドアビームから離れた位置で大きくなるように構成してもよい。
【００１１】
また、本発明に係る自動車用ドアは、前記補強パネルの前記凹凸部の形状は、車両上下方向又は車両前後方向に平行なビード形状であるように構成してもよい。
【発明の効果】
【００１２】
以上のように本発明によれば、側面衝突の初期段階で、アウターパネルとドアビームとの隙間に配置された補強パネルが変形することにより、自動車用ドアのアウターパネルに加わった衝突エネルギを吸収することができる。つまり、この隙間を、衝突エネルギを吸収することができるエネルギ吸収スペースとして有効に活用することができる。また、側面衝突の初期段階以降は、補強パネルは、接合されたアウターパネルやインナーパネルに衝突荷重を伝達し、それらが一体となって衝突荷重に抵抗することができる。そのため、吸収することができる衝突エネルギが増大することから、衝突車両のドア部への最大進入量を低減させることができる。
【００１３】
また、補強パネルの凹凸形状の長手方向を車両の前後方向に形成することにより、ドアの前後方向の圧縮変形強度を増大させることができ、前面衝突に対する乗員の保護にも有効となる。
【００１４】
また、補強パネルの凹凸形状の長手方向を車両の高さ方向に形成することにより、ドアビームの高さ位置からずれた位置に衝突車両が衝突した場合にも、補強パネルは高さが異なる位置にあるドアビームへ衝突荷重を伝達することができる。
【００１５】
さらに、インナーパネルをドア端部のアウターパネル位置まで延長させず、補強パネルと接合させることにより、インナーパネルの深さを浅くすることができる。そのため、アルミニウムから製作されるインナーパネルでは、インナーパネルの絞り成形深さを浅くすることができる。その結果、従来は２分割または３分割されていたインナーパネルを一体成形することができる。
【発明を実施するための最良の形態】
【００１６】
以下では、本発明の実施形態に係る自動車のドアについて、図１から図１２を参照して説明する。
【００１７】
図１は自動車の進行方向左側の乗車ドア１０の正面図である。図中左側を自動車の前方、図中上側を自動車の上方とする。ドアフレームの上方には窓枠１２があり、窓枠１２に設置された窓ガラス１１を昇降させることにより窓を開閉することができる。
【００１８】
図２は、図１中の矢視Ａ−Ａで示した本発明の１実施例であるドア１０の断面図である。ドア１０は、車室外に設けられたアウターパネル１３と、車室内に設けられたインナーパネル１４と、内装が施された内装トリム１５を備えている。アウターパネル１３は、自動車をボリューム感のあるデザインとするため、車両の前後方向および上下方向に丸みを帯びた形状をしており、ドア１０の外観を形成する。インナーパネル１４はドア１０のアウターパネル１３と接合されて、ドア１０内部の空間を形成する。また、内装トリム１５には車内の内装が施され、ドア１０開閉用の取手やガラスの開閉ボタンなどの諸設備が取り付けられ、インナーパネル１４と接合される。形成されたドア１０内部の空間には、ガラスの昇降設備（不図示）やガラスの昇降スペース２１、ドアビーム１６、スピーカー２２等が配設される。ドアビーム１６は車両の側面衝突から乗員を守るためにドア１０内部に前後方向に沿って配設される。また、上部には補強材１７が２つ設置され、アウターパネル１３とインナーパネル１４とに接合される。
【００１９】
前述したように、アウターパネル１３は車両の前後方向に丸みを帯びた形状をしており、ドアビーム１６は略直線状であるため、アウターパネル１３とドアビーム１６との間には隙間が生ずる。その隙間もアウターパネル１３の前後方向の丸みにより、ドアビーム１６に沿った方向にその大きさは異なる。この隙間に、側面衝突による衝突エネルギの吸収を目的に、凹凸のある補強パネル２０が設置される。補強パネル２０は１つの凸部を有し、凸部の頂部と凹部の谷部は平面状に成形される。凸部の長手方向は、ドアビーム１６の配設方向に沿って近接して配設される。そして凸部の頂部はドアビーム１６と、凹部の谷部はアウターパネル１３と、接着剤１８を介して断続的に接着される。
【００２０】
図３は図２中の矢視３−３で示した本発明の１実施例であるドアの断面図である。ドアビーム１６は車両前後方向に沿って配設され、端部はドアビーム取り付け用のブラケット１９に接合される。ブラケット１９はインナーパネル１４と接合され、衝突荷重はドアビーム１６からブラケット１９を介してインナーパネル１４に伝達される。補強パネル２０は凸部の長手方向をドアビーム１６の配設方向に沿って近接して、アウターパネル１３とドアビーム１６との隙間に配設される。前述したように、アウターパネル１３とドアビーム１６との間の隙間寸法はドアビーム１６の配設方向の位置により異なるため、配設される補強パネル２０の凹凸の高低差は隙間寸法に合わせて変化させる。補強パネル２０の凸部とドアビーム１６、補強パネル２０とアウターパネル１３は断続的に接着剤にて接着される。
【００２１】
図４は図１中の矢視Ａ−Ａで示した本発明の１実施例であるドア１０の断面図である。本実施例では図２に示した実施例と異なり、補強パネル２０は、ドア昇降スペース２１とドアビーム１６との間に設置される。補強パネル２０は１つの凸部を有し、凸部の頂部と凹部の谷部は平面状に成形される。凸部の長手方向は、ドアビーム１６の配設方向に沿って近接して配設される。そして凸部の頂部の裏面はドアビーム１６と、凹部の谷部はアウターパネル１３と、接着剤１８を介して断続的に接着される。
【００２２】
図５は図４中の矢視５−５で示した本発明の１実施例であるドアの断面図である。補強パネル２０はドア昇降スペースと２１とドアビーム１６との隙間に配設される。アウターパネル１３とドア昇降スペース２１との間の隙間寸法はアウターパネルの形状に応じて位置により異なるため、配設される補強パネル２０の凹凸の高低差は隙間寸法に合わせて変化させる。ドアビーム１６は車両前後方向に沿って配設され、補強パネル２０と断続的に接着剤にて接着される。
【００２３】
図６は図１中の矢視Ａ−Ａで示した本発明の１実施例であるドア１０の断面図である。本実施例では図２に示した実施例と異なり、ドア１０内部の形成された空間の全面に補強パネル２０が設置される。補強パネル２０は略平行に複数の凹凸部を持っており、凹凸部の長手方向は車両前後方向に配設される。凸部の頂部と凹部の谷部は平面状に成形され、凸部は近接するドアビーム１６と、凹部はアウターパネル１３と接着剤１８にて断続的に接着される。補強パネル２０は、ドア１０内部の上側端ではアウターパネル１３と、下側端ではインナーパネル１４とに接合される。
【００２４】
図７は図６中の矢視７−７で示した本発明の１実施例であるドアの断面図である。補強パネル２０は、アウターパネル１３の丸みによって生じるドアビーム１６との隙間寸法の大小を考慮して、凹凸部の高低差が決定される。補強パネル２０はドア１０内部に形成された空間の全面に配設され、前側と後側とはそれぞれインナーパネル１４に接合される。
【００２５】
図８は図１中の矢視Ａ−Ａで示した本発明の１実施例であるドア１０の断面図である。補強パネル２０の高さ方向の中央部は、略並行に複数の凹凸部が形成され、その長手方向は高さ方向に沿って形成される。また、上下端付近は車両の前後方向に凹凸部が形成されている。補強パネル２０は、ドア１０内部の上端ではアウターパネル１３と、下端ではインナーパネル１４とアウターパネル１３とに接合されている。補強パネル２０は、高さ方向に形成された凹凸部の凸部の頂部はドアビーム１６と、その交差位置で接着剤１８にて接着され、凹部の谷部は断続的にアウターパネル１３と接着剤１８にて接着される。また、車両前後方向に形成された凹部の谷部は、断続的にアウターパネル１３と接着剤１８にて接着される。凹凸部の頂部、谷部は平面状に成形される。なお、ドア１０内部の下側に記載のインナーパネル１４は補強パネル２０と接合され、アウターパネル１３下端まで延長された補強パネル２０が、アウターパネル１３と接合される。
【００２６】
図９は図８中の矢視９−９で示した本発明の１実施例であるドアの断面図である。補強パネル２０はドア１０内部に形成された空間の全面に配置されており、前側、後側はそれぞれインナーパネル１４とアウターパネル１３とのそれぞれに接合されている。インナーパネル１４は補強パネル２０と接合され、アウターパネル１３の前後端まで延長された補強パネル２０がアウターパネル１３と接合される。
【００２７】
図１０は図１中の矢視Ａ−Ａで示した本発明の１実施例であるドア１０の断面図である。本実施例は、前述した図８、図９で示した補強パネル２０を、高さ方向に形成した凹凸部の高低差を、ドアビーム１６近傍では小さく、ドアビーム１６から離れた位置ではそれよりも高くすることにより、補強パネル２０の剛性を高めたものである。
【００２８】
図１１は図１０中の矢視１１−１１で示した本発明の１実施例に係る補強パネル２０の平面図である。図中中央に四角く示された部位が高さ方向に形成された凸部であり、その中央がドアビーム１６近傍の補強パネル２０の凸部にあたる。また図中の上部、下部に記載の横に引かれた直線は、車両の前後方向に形成された凹凸部を示している。
【００２９】
次に、本発明の実施例の作用について説明する。
【００３０】
図２，図３に示すように、アウターパネル１３とドアビーム１６との隙間に補強パネル２０が配設されることにより、アウターパネルに伝達された衝突エネルギを、補強パネル２０が衝突荷重に抵抗しながら変形することにより吸収することができる。従来、この隙間は、衝突荷重への抵抗が小さかったため衝突エネルギを吸収することのない単なる空走スペースとなっていた。しかし、本発明によれば、前記隙間をエネルギ吸収スペースとして有効に活用することができる。
【００３１】
図１２は側方衝突時において、ドア１０部への車両進入量を横軸に、車両がドア１０部に進入するのに必要な荷重（発生荷重）を縦軸にとり、両者の関係を表した概略図である。破線が従来のドア構造を示し、実線が本発明によるドア構造の衝突性能を示している。
【００３２】
従来のドア構造において、衝突の初期段階で車両進入量に対する発生荷重が増加しない範囲（図１２（a）の範囲）は、アウターパネル１３とドアビーム１６との隙間による空走スペースを表している。
【００３３】
それと比べ、本発明によるドア構造を採用した場合、衝突初期段階で発生荷重の増加を見ることができる。
【００３４】
その後さらに車両進入量が増加して空走スペースがなくなると、衝突荷重は直接ドアビーム１６に伝達される。そのため、車両進入量が増えるに従い、発生荷重も増大することとなる（図１２（ｂ））。
【００３５】
以上のように、図２、図３に示した補強パネル２０を設置することにより、衝突初期段階での発生荷重を増加させることができ（図１２矢印（１））、前記隙間部をエネルギ吸収スペースとすることができる。
【００３６】
図４，図５に示すように、図２，図３に示した補強パネル２０の高低差を大きくすることにより、補強パネル２０の剛性を高めることができる。そのため、補強パネル２０の同一の変形量に対する抵抗は大きくなり、より多くの衝突エネルギを吸収することが可能となる。
【００３７】
ただし、ドアビーム１６と補強パネル２０とを接着する接着剤１８には、おもに引張力が作用する。そのため、ドアビーム１６と補強パネル２０が車両の衝突により簡単にはがれないように、接着剤の材料や接着する範囲などを検討する必要がある。
【００３８】
図６，図７に示すように、補強パネル２０がドア１０内部に形成された空間の上下端、前後端まで延長され、アウターパネル１３とインナーパネル１４とに接合されることにより、衝突荷重は補強パネル２０の端部を介してアウターパネル１３とインナーパネル１４とへ伝達される。補強パネル２０が衝突荷重を伝達することができ、特に凹凸部の長手方向に応力を伝達させることができるため、補強パネル２０の前後端に接合されたインナーパネル１４に、効率よく衝突力を伝達させることができる。そのため、前述した衝突初期段階における補強パネル２０の変形によるエネルギ吸収に加えて、前後端に接続されたインナーパネル１４に荷重を伝達させる。そして、さらに車両の進入量が増加してドアビーム１６に直接衝突力が伝わった後も補強パネル２０の４辺が固定されているため、補強パネル２０は衝突荷重に抵抗し続けることができる。
【００３９】
図１２において、前述した衝突初期段階（図１２（a））の後、さらに車両の進入量が増加した後（図１２（ｂ），（ｃ））も、前述の理由により、図１２に示した矢印（２）に示すように発生荷重を増加させることができる。そのため、衝突車両の車内への最大進入量を低減させることができる。
【００４０】
また、補強パネル２０の凹凸形状を車両前後方向に形成していることにより、補強パネル２０は車両の前後方向に作用する軸力に抵抗することができる。そのため、補強パネル２０が設置されたドア１０の前後方向の圧縮変形強度を増大させることができ、前面衝突に対する乗員の保護にも有効である。
【００４１】
図８、図９に示すように、補強パネル２０の高さ方向の中央部において、凹凸部の長手方向を車両の高さ方向に向けることにより、補強パネル２０は車両の高さ方向に荷重を伝達させることができる。ドアビーム１６が配設された高さ位置からずれて車両が側面衝突した場合にも、前述のように補強パネル２０は衝突荷重をドアビーム１６へ効率良く伝達させることができる。そのため、ドアビーム１６が配設された高さ位置からずれて車両が側面衝突した場合にも、従来のドア構造と比べて、衝突車両の最大進入量を低減させることができる。
【００４２】
また、図６、図７に示した実施例と同様に、従来のドア構造と比べ、衝突初期段階のエネルギ吸収性能を増大させることができ、さらに車両進入量が増大した場合も、補強パネル２０の端部が固定されているため、補強パネル２０は衝突荷重に抵抗し続けることができる。
【００４３】
図１０、図１１に示すように、図８，図９の実施例で示した高さ方向に形成した凹凸部の高低差を、ドアビーム１６から離れた場所では高くすることにより、補強パネル２０の剛性を高めることができる。そのため、図８，図９に示した補強パネル２０より高いエネルギ吸収性能を有する補強パネル２０とすることができる。ただし補強パネル２０の凹凸部の高低差は、ガラスの昇降スペース２１等、ドア１０内部に設置される諸設備との干渉を考慮する必要がある。
【００４４】
図８〜図１１に示すように、インナーパネル１４をドア１０内部に形成された空間の上下端部、及び前後端部まで延長させずに、補強パネル２０と接合することにより、インナーパネル１４の深さを浅くすることができる。そのため、アルミニウムから製作されるインナーパネル１４では、インナーパネル１４の絞り成形深さを浅くすることができる。そのため、従来は２分割または３分割されていたインナーパネル１４を一体成形して製作することができ、製作コストの削減につながる。
【００４５】
本発明の実施例では、数種類の凹凸部を有した補強パネル２０を例示した。しかし、本発明は例示した実施例のみに限定するものではなく、ビードタイプの凹凸部においては凹凸高さを自由に設定することができ、凹凸部の長手方向を変えたり凹凸ビードの間隔を変えたりすることが可能である。また、凹凸形状も、凹凸の頂部と谷部を結ぶ斜面の角度、各凹凸ビードの稜線のＲを自由に設定することは可能であり、コーンタイプや同心円状にしたものなど、いろいろな形状を採用することができる。
【００４６】
本発明の実施例を数例述べたが、取り付けられる自動車の特性により採用する補強パネル形式は異なり、例えばドアの補強材１７は２つの例を図示したが１つのものもあり、ブラケット１９は存在しない自動車もある。しかし、自動車のフレーム構造やドア１０内部の諸設備等を考慮して、最適な補強パネル形式を選択することが可能である。
【００４７】
本発明の実施例では、補強パネル２０とアウターパネル１３、および補強パネル２０とドアビーム１６との接合には接着剤を使用したが、これら接合はアーク溶接、摩擦撹拌接合等他の方法でもよい。また、補強パネル２０とアウターパネル１３の端部との接合も、スポット溶接、摩擦撹拌接合、接着剤を使用したヘミング加工等、最適な方法を取ることができる。
【図面の簡単な説明】
【００４８】
【図１】自動車のドア部の正面図である。
【図２】本発明の１実施例のドア部の断面図である。
【図３】図２中の矢視３−３に示したドア部の断面図である。
【図４】本発明の１実施例のドア部の断面図である。
【図５】図４中の矢視５−５に示したドア部の断面図である。
【図６】本発明の１実施例のドア部の断面図である。
【図７】図６中の矢視７−７に示したドア部の断面図である。
【図８】本発明の１実施例のドア部の断面図である。
【図９】図８中の矢視９−９に示したドア部の断面図である。
【図１０】本発明の１実施例のドア部の断面図である。
【図１１】図１０中の矢視１１−１１に示したドア部の断面図である。
【図１２】側面衝突時における車両進入量と発生荷重の関係を表したグラフである。
【図１３】従来構造のドア部の断面図である。
【図１４】図１３中の矢視１４−１４に示したドア部の断面図である。
【符号の説明】
【００４９】
１０    ドア
１１    窓ガラス
１３    アウターパネル
１４    インナーパネル
１５    内装トリム
１６    ドアビーム
１７    補強材
１８    接着剤
１９    ブラケット
２０    補強パネル
２１    ガラスの昇降スペース
２２    スピーカー
A        隙間
【図１】
2008254471.tif 000003
【図２】
2008254471.tif 000004
【図３】
2008254471.tif 000005
【図４】
2008254471.tif 000006
【図５】
2008254471.tif 000007
【図６】
2008254471.tif 000008
【図７】
2008254471.tif 000009
【図８】
2008254471.tif 000010
【図９】
2008254471.tif 000011
【図１０】
2008254471.tif 000012
【図１１】
2008254471.tif 000013
【図１２】
2008254471.tif 000014
【図１３】
2008254471.tif 000015
【図１４】
2008254471.tif 000016
【手続補正書】
【提出日】平成19年6月8日(2007.6.8)
【手続補正１】
【補正対象書類名】特許請求の範囲
【補正対象項目名】請求項１
【補正方法】変更
【補正の内容】
【請求項１】
側面衝突用ドアビームを有する自動車用ドアにおいて、アウターパネルとガラス昇降スペースとの間に配置され、前記アウターパネルの内面形状に合わせた形状を有すると共に、凹凸部を備えた補強パネルを有することを特徴とする自動車用ドア。
【手続補正２】
【補正対象書類名】明細書
【補正対象項目名】０００８
【補正方法】変更
【補正の内容】
【０００８】
上記目的を達成するため、本発明に係る自動車用ドアは、側面衝突用ドアビームを有する自動車用ドアにおいて、アウターパネルとガラス昇降スペースとの間に配置され、前記アウターパネルの内面形状に合わせた形状を有すると共に、凹凸部を備えた補強パネルを有することを特徴とする。
【手続補正３】
【補正対象書類名】明細書
【補正対象項目名】００２１
【補正方法】変更
【補正の内容】
【００２１】
図４は図１中の矢視Ａ−Ａで示した本発明の１実施例であるドア１０の断面図である。本実施例では図２に示した実施例と異なり、補強パネル２０は、ガラス昇降スペース２１とドアビーム１６との間に設置される。補強パネル２０は１つの凸部を有し、凸部の頂部と凹部の谷部は平面状に成形される。凸部の長手方向は、ドアビーム１６の配設方向に沿って近接して配設される。そして凸部の頂部の裏面はドアビーム１６と、凹部の谷部はアウターパネル１３と、接着剤１８を介して断続的に接着される。
【手続補正４】
【補正対象書類名】明細書
【補正対象項目名】００２２
【補正方法】変更
【補正の内容】
【００２２】
図５は図４中の矢視５−５で示した本発明の１実施例であるドアの断面図である。補強パネル２０はガラス昇降スペース２１とドアビーム１６との隙間に配設される。アウターパネル１３とガラス昇降スペース２１との間の隙間寸法はアウターパネルの形状に応じて位置により異なるため、配設される補強パネル２０の凹凸の高低差は隙間寸法に合わせて変化させる。ドアビーム１６は車両前後方向に沿って配設され、補強パネル２０と断続的に接着剤にて接着される。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
アウターパネルと、このアウターパネルの内側に自動車長手方向に延びるように配置された側面衝突用のドアビームと、前記アウターパネルとガラス昇降スペースとの間に配置された補強パネルと、を有し、前記補強パネルは、前記アウターパネルの内面形状に合わせた形状を有すると共に、自動車長手方向に凹凸を有し、この凹凸における前記アウターパネル側に突出した部分は自動車高さ方向に延びて前記アウターパネルと接合され、前記ドアビーム側に突出した部分は自動車高さ方向に延びて前記ドアビームと接合されていることを特徴とする自動車用ドア。
【請求項２】
前記ドアビームは、前記アウターパネル側の面又は前記アウターパネルの反対側の面が、前記補強パネルと接合されていることを特徴とする請求項１に記載の自動車用ドア。
【請求項３】
前記補強パネルは、自動車高さ方向にも凹凸を有し、前記自動車高さ方向の凹凸の前記アウターパネル側に突出した部分の前記ガラス昇降スペース側の面に、前記ドアビームの前記アウターパネル側の面が接合されていることを特徴とする請求項１に記載の自動車用ドア。
【請求項４】
前記補強パネルが、自動車の上側、下側、前側、後側の端部でアウターパネルに接合され、前記インナーパネルはドア内部に形成された空間の上下端部、及び前後端部まで延長させずに、前記補強パネルと接合されていることを特徴とする請求項１乃至３のいずれか１項に記載の自動車用ドア。
【請求項５】
前記補強パネルの前記自動車長手方向の凹凸の高低差は、前記ドアビームの近傍で小さく、ドアビームから離れた位置で大きくなるようにしたことを特徴とする請求項３に記載の自動車用ドア。
【手続補正２】
【補正対象書類名】明細書
【補正対象項目名】０００８
【補正方法】変更
【補正の内容】
【０００８】
本発明に係る自動車用ドアは、アウターパネルと、このアウターパネルの内側に自動車長手方向に延びるように配置された側面衝突用のドアビームと、前記アウターパネルとガラス昇降スペースとの間に配置された補強パネルと、を有し、前記補強パネルは、前記アウターパネルの内面形状に合わせた形状を有すると共に、自動車長手方向に凹凸を有し、この凹凸における前記アウターパネル側に突出した部分は自動車高さ方向に延びて前記アウターパネルと接合され、前記ドアビーム側に突出した部分は自動車高さ方向に延びて前記ドアビームと接合されていることを特徴とする。
【手続補正３】
【補正対象書類名】明細書
【補正対象項目名】０００９
【補正方法】変更
【補正の内容】
【０００９】
この場合に、前記ドアビームは、前記アウターパネル側の面で前記補強パネルと接合されていても良いし、前記アウターパネルの反対側の面で前記補強パネルと接合されていてもよい。更に、前記ドアビームが前記アウターパネル側の面で前記補強板に接合されている場合において、前記補強パネルは、自動車高さ方向にも凹凸を有し、前記自動車高さ方向の凹凸の前記アウターパネル側に突出した部分の前記ガラス昇降スペース側の面に、前記ドアビームの前記アウターパネル側の面が接合されているように構成することができる。また、前記補強パネルが、自動車の上側、下側、前側、後側の端部でアウターパネルに接合され、前記インナーパネルはドア内部に形成された空間の上下端部、及び前後端部まで延長させずに、前記補強パネルと接合されているように構成してもよい。
【手続補正４】
【補正対象書類名】明細書
【補正対象項目名】００１１
【補正方法】削除
【補正の内容】